(57)【要約】      （修正有）【課題】プラグコネクタの抜き挿しに必要な力が安定し、ロック用板ばねが変形しにくいソケットコネクタを提供する。【解決手段】回路基板に設置されるソケットコネクタは、絶縁本体１０、導電端子群２０、ロック用板ばね３０、ブラケット４０を含む。絶縁本体は、塊状の基体１１を有し、基体には、複数の端子スロット１１２と差込スロットが設けられる。導電端子群は、絶縁本体の端子スロットの中に組立てられる。ロック用板ばねは、垂直の板状第１基板部３１を有し、第１基板部の左右両端の縁には、それぞれが前向きに湾曲・延伸している第１挟持部３３が形成される。第１挟持部の自由端には、内部へ浮き上がり末端が外へ湾曲・延伸している第２接触部３４が形成され、第１挟持部の後端の外表面には、それぞれが外へ突出している突起３３１が設置される。突起が差込スロットの外側の内壁に当接することにより、ロック用板ばねは、絶縁本体に安定して設置される。【選択図】図２
0003193306.tif 000002
【実用新案登録請求の範囲】
【請求項１】
ソケットコネクタであって、
前記ソケットコネクタは、回路基板に設置され、絶縁本体、絶縁本体、導電端子群、ロック用板ばね、ブラケットを含み、
前記絶縁本体は、塊状の基体を有し、
前記基体の前表面には、前へ突出した差込部が設けられており、
前記差込部の前表面には、後ろへ凹んで基体まで延伸する差込孔が形成されており、
前記基体の上表面の中央には、下へ凹んだスロットが形成されており、
前記スロットの底壁には、前後に延伸する複数の端子スロットが下へ向きに設置されており、
前記差込孔と端子スロットの前端が連通し、
前記絶縁本体における基体の後表面には、左右表面の後端まで延伸する収納スロットが設置されており、
前記基体の後表面における収納スロットの前壁の両側には、それぞれ前へ凹んだ差込スロットが設けられており、
前記差込スロットの前端と差込孔が連通し、
前記導電端子群は、絶縁本体の端子スロットの中に組立てられており、
前記ロック用板ばねは、垂直の板状第１基板部を有し、
前記第１基板部の左右両端の縁には、それぞれが前向きに湾曲・延伸している第１挟持部が形成されており、
前記第１挟持部の自由端には、内部へ浮き上った後に末端が外へ湾曲・延伸している第2接触部が形成されており、
前記第１挟持部の後端の外表面には、それぞれが外へ突出している突起部が設置されており、
前記ロック用板ばねは、前記絶縁本体の収納スロットの中に収容されており、
第2接触部は、絶縁本体の差込孔の中まで内部へ延伸しており、
前記第１挟持部は、絶縁本体に設けられた差込スロットの中に設置されており、
前記第１挟持部の後段が外向きの弾性押圧力により差込スロットを押圧すると、前記突起部が差込スロットの外側の内壁に当接し、前記ブラケットが前記絶縁本体の収納スロットの中に収容されてロック用板ばねの外に掛止する、
ことを特徴とするソケットコネクタ。
【請求項２】
前記絶縁本体の端子スロットは、基体を後向きに貫いており、
端子スロットの後端の底壁には、下向きに凹んだ第1クランプスロットが形成されており、
前記導電端子群は2つの検出端子と複数の信号端子を含み、
前記検出端子と信号端子の全ては、保持部を有し、
前記保持部の下端縁の前端には、下向きに突出した第１接触部が形成されており、
前記保持部の前端縁の後端には、下向きに突出した第１クランプ部が形成されており、
前記保持部は、前記端子スロットの中に差し込まれており、
前記第１接触部が突出して前記絶縁本体の差込孔の中に延伸すると、前記第１クランプ部が前記端子スロットの第１クランプスロットにクランプする、
ことを特徴とする前記請求項１に記載のソケットコネクタ。
【請求項３】
前記絶縁本体の基体の後表面の収納スロットの前壁底部には、内側に向かって凹んだ第2クランプ部が形成されており、
前記ロック用板ばねの第1基板部の下端縁の中央には、前向きに湾曲・延伸している第2クランプ部が形成されており、
前記第2クランプが前記第2クランプのスロットにクランプする、
ことを特徴とする前記請求項１に記載のソケットコネクタ。
【請求項４】
前記絶縁本体の基体の左右両側の中央には、それぞれ外へ突出している翼部が設けられており、
前記翼部の上には、前後を貫くロック穴が設置されており、
前記ブラケットは、前記垂直板状である第2基板部を有し、
第2基板部の左右両端縁には、それぞれが前向きに湾曲した第2挟持部が形成されており、
２つの前記第2挟持部の末端には、それぞれが外へ湾曲・延伸しているロック部が形成されており、
前記ロック部の上にはロック穴が設置されており、
前記ブラケットのロック部が前記翼部の収納スロットに収容されると、翼部のロック穴とロック部のロック穴は対応して連通し、翼部とロック部は固定されて一体になる、
ことを特徴とする前記請求項１に記載のソケットコネクタ。
【請求項５】
ロック用板ばねの第1基板部には、後へ凹む複数の定位柱が形成されており、
前記ブラケットの第2基板部と第1基板部は、前記定位柱にスポット溶接により連結されている、
ことを特徴とする前記請求項4に記載のソケットコネクタ。
【請求項６】
前記ソケットコネクタは、更に絶縁フィルムを含み、
前記ロック用板ばねの第1基板部の後表面が絶縁フィルムにより覆われることで、ロック用板ばねとブラケットは絶縁になる
ことを特徴とする前記請求項１に記載のソケットコネクタ。
【請求項７】
前記絶縁本体のスロットが絶縁フィルムにより覆われることで、端子スロットにおける導電端子群の各端子の間の短絡が生じる
ことを防止することを特徴とする前記請求項6に記載のソケットコネクタ。
【考案の詳細な説明】
【技術分野】
【０００１】
本考案はコネクタに関連し、特にソケットコネクタに関する。
【背景技術】
【０００２】
現在、電子製品において、たくさんの異なる規格のデータ転送プロトコルが開発され、異なる規格のデータ転送プロトコルに適用するため、異なる形式のコネクタが生まれている。その中でも、ライトニングコネクタ（Ｌｉｇｈｔｎｉｎｇ  Connector）は、デバイスへリバーシブル接続機能を有するため、データ・電気信号のコネクション使用に極めて大きな利便性が生じることで、人気になり、広く使用されている。ライトニングコネクタの普及に伴い、ライトニングコネクタに接続するソケットコネクタが広く開発されている。従来の１種のソケットコネクタとしては、絶縁本体、導電端子群、ブラケット、ロック用板ばねからなり、前記導電端子群が前記絶縁本体の中に設けられ、前記ブラケットがソケットコネクタを電子製品に付け加えることができ、ロック用板ばねを絶縁本体の中に挿し込んでおり、プラグコネクタに対し保持することを実現する。
【０００３】
しかし、前記ソケットコネクタはプラグコネクタの抜き挿しにおいて、ロック用板ばねと絶縁本体の作用点が不安定になるため、抜き挿しに必要な力が不安定になりやすく、ロック用板ばねが変形する場合がある。
【考案の概要】
【考案が解決しようとする課題】
【０００４】
本考案の目的は、前記従来技術の問題を解決するため、抜き挿しに必要な力が安定しているソケットコネクタを提供することである。
【０００５】
前記目的を実現するため、本考案により提供するソケットコネクタが回路基板に設置される。前記ソケットコネクタは、絶縁本体、導電端子群、ブラケット、ロック用板ばねを含む。そのうち、前記絶縁本体が塊状の基体を有する。前記基体の前表面が前へ突出することにより差込部が設けられている。前記差込部の前表面には後ろへ凹み、基体に延伸する差込孔が形成されている。前記基体の上表面の中央には下へスロットが形成されている。前記スロットの底壁には複数の前後の方向に延伸する端子スロットが下向きに置されている。前記差込孔と端子スロットの前端は連通している。前記絶縁本体の基体の後表面には左右表面の後端まで延伸する収納スロットが設置されている。前記基体の後表面の前壁の両側それぞれには前へ凹む差込スロットが設けられている。前記差込スロットの前端と差込孔は連通している。前記導電端子群は絶縁本体の端子スロットの中に組立されている。前記ロック用板ばねは垂直の板状である第１基板部を有する。
前記第１基板部の左右両端の縁は、それぞれが前向きに湾曲・延伸することにより、第１挟持部を形成している。前記第１挟持部の自由端は内部へ浮き上がり、末端が外へ湾曲・延伸することにより、第2接触部を形成している。前記第１挟持部の後端の外表面には、それぞれが外へ突出する突起部が設置されている。前記ロック用板ばねは前記絶縁本体の収納スロットの中に収容されている。第2接触部は絶縁本体の差込孔の中まで内側へ延伸している。前記第１挟持部は絶縁本体に置かれる差込スロットの中に設置されている。前記第１挟持部の後段が外向きの弾性押圧力により差込スロットを押圧することによって、前記突起部が差込スロットの外側の内壁に・接触すると、前記ブラケットが前記絶縁本体の収納スロットの中に収容されてロック用板ばねの外に掛止する。
【０００６】
さらなる改良としては、前記絶縁本体の端子スロットは基体を後向きに貫通している。端子スロットの後端の底壁には、下向きに凹んだ第1クランプスロットが形成されている。前記導電端子群は2つの検出端子と複数の信号端子を含む。前記検出端子と信号端子の全てが保持部を有する。前記保持部の下端縁の前端には下向きに突出した１接触部が形成されている。前記保持部の前端縁の後端には下向きに突出した第１クランプ部が形成されている。前記保持部が前記端子スロットの中に差し込まれ、前記第１接触部は突出して前記絶縁本体の差込孔の中に延伸し、前記第１クランプ部が前記端子スロットの第１クランプスロットにクランプする。
【０００７】
さらなる改良としては、前記絶縁本体の基体の後表面では、収納スロットの前壁底部に内へ凹んだ第 2クランプ部が形成されている。前記ロック用板ばねの第1基板部の下端縁には、中央が前向きに湾曲・延伸したクランプ部が形成されている。前記第2クランプが前記第2クランプのスロットにクランプしている。
【０００８】
さらなる改良としては、前記絶縁本体の基体における左右両側の中央は、それぞれ外へ突出する翼部を有する。前記翼部には前後を貫くロック穴が設置されている。前記ブラケットは前記垂直板状の第2基板部を有している。第2基板部の左右両端縁には、それぞれ前向きに湾曲・延伸している第2挟持部が形成されている。２つの前記第2挟持部の末端には、それぞれ外へ湾曲・延伸しているロック部が形成されている。前記ロック部の上にはロック穴が設置されている。前記ブラケットのロック部が前記翼部の収納スロットに収容されると、翼部のロック穴とロック部のロック穴が対応して連通し、翼部とロック部が固定されて一体になる。
【０００９】
さらなる改良としては、ロック用板ばねの第1基板部には、後へ凹んだ複数の定位柱が形成されている。前記ブラケットの第2基板部と第1基板部は、前記定位柱にスポット溶接により連結している。
【００１０】
さらなる改良としては、前記ソケットコネクタは絶縁フィルムを更に含む。前記ロック用板ばねの第1基板部の後表面が絶縁フィルムにより覆われることで、ロック用板ばねとブラケットが絶縁される。
【００１１】
さらなる改良としては、前記絶縁本体のスロットは絶縁フィルムにより覆われることで、端子スロットの中における導電端子群の各端子の間の短絡が生じることを防止する。
【００１２】
上記のとおり、本考案のソケットコネクタでは、ロック用板ばねの第１挟持部に突起が設置されている。そのため、前記プラグコネクタでは、前記抜き挿しの過程において、前記第１挟持部が突起によって絶縁本体の差込スロットと接触することにより、前記ロック用板ばねと絶縁本体の作用点が更に安定になる。そのため、抜き挿しに必要な力が更に安定になると同時に、抜き挿しに必要な力は突起の高度により調整され得る。
【図面の簡単な説明】
【００１３】
【図１】図1は本考案のソケットコネクタの立体図である。
【図２】図2は図1に示されるソケットコネクタの立体分解図である。
【図３】図3は図1に示されるソケットコネクタの絶縁本体の立体図である。
【図４】図4は図1に示されるソケットコネクタIV線の断面図である。
【図５】図5は図1に示されるソケットコネクタのV線の断面図である。
【考案を実施するための形態】
【００１４】
本考案の技術内容、構造の特徴、目的、効果を詳しく説明するため、以下のように、例を挙げて図面に組み合わせて詳しく説明する。
【００１５】
図１〜２に示すように、本実施例のソケットコネクタ100は、回路基板（図面に示されていない）に組み立てられ、絶縁本体10、導電端子群20、ロック用板ばね30、ブラケット40を含む。
【００１６】
図2〜４に示すように、前記絶縁本体10は前記塊状基体11を有する。前記基体11の左右両側の中央それぞれには外へ突出する翼部1２が設けられている。前記基体11の前表面には前へ突出する差込部13が設けられている。前記差込部13の前表面には、後ろへ凹んで基体11まで延伸する差込孔131が形成されている。具体的には、前記基体11の上表面には、中央が下へ凹んだスロット111が形成されている。前記スロット111の底壁には、複数の前後に延伸する端子スロット112が更に下向きに設けられている。端子スロット112は後ろへ向かって基体11を貫いている。端子スロット112の後端の底壁には、下へ凹んだクランプスロット113が形成されている。差込孔131は端子スロット112の前端に連結している。前記絶縁本体10の翼部12の上には、前後に貫くロック穴121が設けられている。前記絶縁本体10における基体11の後表面には、左右の表面の後端と翼部12の後表面まで延伸する収納スロット114が設置されている。前記基体11の後表面の収納スロット114の前壁の底部には、内部へ凹んだ第2クランプスロット115が設置されている。前記基体11の後表面では、収納スロット114の前壁の両側それぞれに前へ凹んだ差込スロット116が設けられている。前記差込スロット116の前端が差込孔131と連通する。
【００１７】
図2、４に示すように、前記導電端子群20は、前記絶縁本体10の端子スロット112の中に組み立てられ、2つの検出端子21と複数の信号端子22を含んでいる。前記検出端子21と信号端子22は、それぞれ保持部23を有する。前記保持部23の下端縁の前端には、下向きに突出した接触部24が形成されている。前記保持部23の前端縁の後端には、下向きに突出した第１クランプ部25が形成されている。前記保持部23の後端縁には、上向きに傾斜・延伸した後に更に水平に傾斜・延伸している溶接部26が形成されている。前記第１クランプ部24は、絶縁本体１０の差込孔１３１の中に突出・延伸している。前記第1クランプ部25には、上・外へ傾斜・延伸するクランプカード251が設置されている。前記第1クランプ部25は、前記端子スロット112の第1クランプスロット113にクランプする。前記溶接部26は回線基板に溶接されている。
【００１８】
図2〜5に示すように、前記ロック用板ばね30は、上前記絶縁本体10の収納スロット114の中に収容され、前記絶縁本体10の差込スロット116に差込まれている。前記ロック用板ばね30は垂直の板状である第１基板部31を有している。前記第１基板部31の下端縁には、中央が前向きに湾曲・延伸した第2クランプ部32が形成されている。前記第１基板部31の左右両端の縁には、それぞれが前向きに湾曲・延伸した第１挟持部33が形成されている。前記第１挟持部33の自由端には、内部へ浮いた後に、末端が外へ湾曲・延伸している第2接触部34が形成されている。その内部では、ロック用板ばねの第1基板部31に、後へ凹んだ複数の定位柱（図面に示されてない）が形成されている。前記第１挟持部33の後端の外表面には、それぞれが外へ突出している突起部331が設置されている。
【００１９】
図1〜3に示すように、前記ブラケット40は、前記絶縁本体10の収納スロット114の中に収納され、ロック用板ばねの外に掛止している。前記ブラケット40は、前記垂直板状の第2基板部41を有している。前記第2基板部41の左右両端の縁には、それぞれ前向きに湾曲している第2挟持部42が形成されている。２つの前記第2挟持部42の末端には、それぞれ上へ突出している溶接足43が形成されている。前記溶接足43は回線基板に溶接されている。２つの前記第2挟持部42の末端には、それぞれ外へ湾曲・延伸しているロック部44が形成されている。前記ロック部44にはロック穴441が設置されている。
【００２０】
図1〜2に示すように、本考案のソケットコネクタ100は更に絶縁フィルム50を含む。前記ロック用板ばね30の第1基板部31の後表面が絶縁フィルム50により覆われることで、ロック用板ばね30とブラケット40が絶縁になる。前記絶縁本体10のスロット11は、絶縁フィルム50により覆われることで、端子スロット11における導電端子群20の各端子の間の短絡が生じることを防止する。
【００２１】
図1〜5に示すように、本考案のソケットコネクタ100を組み立てる時、導電端子群20が前記絶縁本体10の基体11に挿込まれ、前記導電端子群20の第1接触部24が突出して前記差込孔131に延伸し、前記第1クランプ部25は前記端子スロット112の第1クランプスロット113にクランプする。前記ロック用板ばね30は前記絶縁本体10の収納スロット114に収容され、前記ロック用板ばね30の第2クランプ部32は前記第2クランプスロット115にクランプし、前記ロック用板ばね30の前記第１挟持部33は前記絶縁本体10の差込スロット116に差し込まれる。
前記第１挟持部33の後段が外向きの弾性押圧力により差込スロット116を押圧することで、前記突起331は差込スロット116の外側の内壁に当接する。前記ロック用板ばね30の第2接触部34が内部に向かって絶縁本体10の差込孔131に延伸し、前記ブラケット10は前記絶縁本体10の収納スロット114の中に収容されてロック用板ばね30の外に掛止する。前記ブラケット40のロック部44は前記翼部12の収納スロット114に収容され、翼部12のロック穴121とロック部44のロック穴441は対応して連通し、ロック部品（図面に示されていない）によりロックされる。前記ブラケット40の第2基板部41とロック用板ばね30の第1基板部31は前記定位柱にスポット溶接により連結し、前記第1基板部31の後表面は絶縁フィルム50により覆われることで、ロック用板ばね30とブラケット40が絶縁になる。本考案のソケットコネクタ100が用いられる時に、ロック用板ばね30の第2接触部34がプラグコネクタ（図面に示されてない）の挿し込みによって外への押出作用により、ロック用板ばね30の第１挟持部の33が弾力性変形することにより、前記絶縁本体10の差込スロット116の外側の内壁は前記突起331の押出作用を受ける。
【００２２】
要約すると、本考案のソケットコネクタ100では、ロック用板ばね30の第１挟持部33に突起331が設置される。そのため、前記プラグコネクタでは、前記抜き差しにおいて、前記第１挟持部33が突起331により前記絶縁本体10の差込スロット116と接触作用することで、ロック用板ばね30と絶縁本体10の間の作用点がさらに安定化される。それによって、抜き差しに必要な力が更に安定化され、かつ抜き差しに必要な力の大きさの調整は突起331の高さの調整により実現できる。
【符号の説明】
【００２３】
１００  ソケットコネクタ
１０  絶縁本体  
１１  基体
１１１  スロット  
１１２  端子スロット
１１３  第1クランプスロット  
１１４  収納スロット
１１５  第2クランプスロット  
１１６  差込スロット
１２  翼部  
１２１  ロック穴
１３  差込部  
１３１  差込孔
２０  導電端子群  
２１  検出端子
２２  信号端子  
２３  保持部
２４  第1接触部  
２５  第1クランプ部
２５１  クランプカード  
２６  溶接部
３０  ロック用板ばね  
３１  第1基板部  
３２  第2クランプ部  
３３  第１挟持部
３３１  突起  
３４  第2接触部
４０  ブラケット  
４１  第2基板部
４２  第2挟持部  
４３  溶接足
４４  ロック部  
４４１  ロック穴
５０  絶縁フィルム
【図１】
0003193306.tif 000003
【図２】
0003193306.tif 000004
【図３】
0003193306.tif 000005
【図４】
0003193306.tif 000006
【図５】
0003193306.tif 000007